(57)【要約】【課題】中箱を繰り返しスライドさせても、ストッパ片が折り曲がったり損傷したりしないようにする。【解決手段】  筒状の周壁１９を備えた外箱１８の中に中箱１４をスライド自在に収納し、前記中箱１４は、底面板１１とその底面板１１の前記スライド方向両端部に立ち上がる端面板１２，１２、及び前記底面板１１の幅方向両端部に立ち上がる側面板１３，１３とを備え、前記周壁１９の前記スライド方向一方側の端部に、その周壁１９の内面から突出するストッパ片３２を設けられている。前記ストッパ片３２が前記側面板１３に設けた係合部３１に係合することによって、前記中箱１４が前記外箱１８の前記スライド方向一方側の開口から脱落するのが防止される。前記ストッパ片３２に、そのストッパ片３２の剛性を高めるための補強罫線３２ａを形成している。補強罫線３２ａの介在によってストッパ片３２の剛性が高まれば、そのストッパ片３２の折れ曲がりや損傷が抑制される。【選択図】図１
2010126185.tif 000002
【特許請求の範囲】
【請求項１】
筒状の周壁１９を備えた外箱１８の中に中箱１４を前記筒軸方向へスライド自在に収納し、前記中箱１４は、底面板１１とその底面板１１の前記スライド方向両端部に立ち上がる端面板１２，１２、及び前記底面板１１の幅方向両端部に立ち上がる側面板１３，１３とを備え、前記周壁１９の前記スライド方向一方側の端部に、その周壁１９の内面から突出するストッパ片３２を設け、前記ストッパ片３２が前記側面板１３に設けた係合部３１に係合することによって、前記中箱１４が前記外箱１８の前記スライド方向一方側の開口から脱落するのを防止する包装容器において、
前記ストッパ片３２に、そのストッパ片３２の剛性を高めるための補強罫線３２ａを形成したことを特徴とする包装容器。
【請求項２】
前記ストッパ片３２は、前記周壁１９の前記スライド方向一方側の縁に折目線ｒを介して連設され、そのストッパ片３２が前記折目線ｒで前記周壁１９から内側に折り込まれていることを特徴とする請求項１に記載の包装容器。
【請求項３】
前記係合部３１は、側面板１３の前記スライド方向他方側の端部に形成された孔部３１ａであることを特徴とする請求項１又は２に記載の包装容器。
【請求項４】
前記補強罫線３２ａは、前記側面板１３側から前記ストッパ片３２の突出方向に沿って伸びていることを特徴とする請求項１乃至３のいずれかに記載の包装容器。
【請求項５】
前記補強罫線３２ａは、前記スライド方向に並行に伸びていることを特徴とする請求項４に記載の包装容器。
【請求項６】
前記ストッパ片３２は、前記補強罫線３２ａに沿って折り曲げられていることを特徴とする請求項４又は５に記載の包装容器。
【請求項７】
請求項１乃至６のいずれかに記載の包装容器の中に、物品を収納したことを特徴とする包装体。
【発明の詳細な説明】
【技術分野】
【０００１】
この発明は、各種食品、その他物品用の包装容器及び包装体に関するものである。
【背景技術】
【０００２】
従来、例えば、菓子や乳製品など各種食品、その他物品を収納する包装容器として、筒状の外箱（スリーブ）の中に、凹状の中箱（トレー）をスライド自在に収納した包装容器がある。
【０００３】
この包装容器は、例えば、図１１（ａ）に示すように、底面板１と、その底面板１の周囲に立ち上がる端面板２，２、及び側面板３，３を備えた凹状の中箱４を備え、その中箱４の凹部に複数の内容物ｐが入れられて用いられる。
その中箱４が、筒状を成す外箱８内にすっぽりと入り込んで、中箱４の凹部内の空間は外箱８によって閉じられる。
【０００４】
出荷時には、その中箱４が外箱８内から出ないように、糊付け等により中箱４と外箱８とが固定される（以下、「未開封状態」という）。また、その外周をプラスチックフィルム等で覆う場合もある。
図１１（ａ）では、中箱４の一方の端面板２に連設した離脱防止片６（貼着片５）が、外箱８の周壁９（上壁９ａ）の外面に糊付けで固定されている。糊付けは、その周壁９に形成した切目線ｃに囲まれた部分で行う。
【０００５】
内容物ｐを取り出す際には、前記「未開封状態」の包装容器が、前記プラスチックフィルムで覆われている場合にはそのフィルムを開封し、また、前記貼着片５を引張って糊付け部分を切り離すことで開封し、前記外箱８と中箱４とをスライド可能な状態（以下、「開封状態」という）とする。
【０００６】
その「開封状態」で、外箱８内から中箱４を引き出し、中箱４の凹部が外箱８の外に出れば、内容物ｐを取り出すことができる。必要数の内容物ｐの取出しが終われば、中箱４を再度外箱８内に差し入れると、残りの内容物ｐはこぼれないように保護される。
【０００７】
また、中箱４が外箱８から脱落しないように、ストッパを設けた包装容器もある。例えば、図１２に示す包装容器は、前記外箱８の周壁９の端部に、その周壁９の内面から突出するストッパ片３２が設けられている。
そのストッパ片３２が側面板３に設けた係合部３１に係合することによって、前記中箱４が前記外箱８から脱落するのを防止する。
【０００８】
この係合部３１は、図１２（ａ）に示すように、中箱４の側壁３に設けた孔部３１ａであったり、あるいは、図１２（ｂ）に示すように、その中箱４の側壁３から外側に突出する延長片３１ｂである場合もある（例えば、特許文献１乃至４参照）。
【０００９】
【特許文献１】実公昭４１−２００６１号公報
【特許文献２】実開昭５４−７４６２８号公報
【特許文献３】特表２００５−５３０６５４号公報
【特許文献４】実公昭６３−３９２９号公報
【発明の開示】
【発明が解決しようとする課題】
【００１０】
上記図１２に示す包装容器によれば、外箱８に対して中箱４を繰り返しスライドさせていると、ストッパ片３２が係合部３１周囲に何度も当接する。このため、ストッパ片３２がその途中折り曲がったり、あるいは、ストッパ片３２の端縁が損傷してしまう場合がある。
【００１１】
ストッパ片３２が折り曲がったり損傷したりすると、係合部３１への係合が正常に作用しなくなる場合がある。ストッパ片３２と係合部３１との係合が正常でないと、中箱４が外箱８から脱落してしまうので好ましくない。
【００１２】
そこで、この発明は、中箱を繰り返しスライドさせても、ストッパ片が折り曲がったり損傷したりしないようにすることを課題とする。
【課題を解決するための手段】
【００１３】
上記の課題を解決するために、この発明は、筒状の周壁を備えた外箱の中に中箱を前記筒軸方向へスライド自在に収納し、前記中箱は、底面板とその底面板の前記スライド方向両端部に立ち上がる端面板、及び前記底面板の幅方向両端部に立ち上がる側面板とを備え、前記周壁の前記スライド方向一方側の端部に、その周壁の内面から突出するストッパ片を設け、前記ストッパ片が前記側面板に設けた係合部に係合することによって、前記中箱が前記外箱の前記スライド方向一方側の開口から脱落するのを防止する包装容器において、前記ストッパ片に、そのストッパ片の剛性を高めるための補強罫線を形成した構成を採用した。
【００１４】
その補強罫線は、周壁の内面から突出するストッパ片が、その途中で折れ曲がったり、あるいは、縁の部分が損傷したりするのを防止する機能を有する位置、形状、方向、範囲であればよい。このため、補強罫線は、例えば、前記ストッパ片の突出方向に沿って伸びる場合は、その突出方向全長に亘って設けられていてもよいし、前記突出方向一部の範囲に形成されていてもよい。また、補強罫線が、前記ストッパ片の高さ方向に沿って伸びる場合は、その高さ方向全長に亘って設けられていてもよいし、前記高さ方向一部の範囲に設けられていてもよい。また、補強罫線は複数本形成されていてもよく、その場合、複数本の補強罫線が並行に伸びていてもよいし、異なる方向に伸びる罫線が混在していてもよい。
【００１５】
なお、前記ストッパ片としては、前記周壁の前記スライド方向一方側の端部において、その周壁の内面から内側に突出するものであればよく、ストッパ片を外箱のブランクに一体に形成する、あるいは、ブランクとは別体に形成したものを固定するなど、その設置位置、構造は自由である。
例えば、前記ストッパ片として、前記周壁の前記スライド方向一方側の縁に折目線を介して連設され、そのストッパ片が前記折目線で前記周壁から内側に折り込まれている構成を採用することができる。
【００１６】
また、前記係合部としては、例えば、前記側面板の前記スライド方向他方側の端部において、その側面板から外側に突出する延長片からなる構成を採用してもよいし、あるいは、前記側面板の前記スライド方向他方側の端部に形成された孔部からなる構成を採用することもできる。
【００１７】
なお、前記補強罫線は、前記側面板側から前記ストッパ片の突出方向に沿って伸びている構成とすれば、そのストッパ片の突出側端部が前記スライド方向に押された際における、その押圧力に対抗し得る剛性を高めやすい。このため、前記補強罫線は、前記スライド方向に並行に伸びている構成とすることが最も好ましい。
【００１８】
さらに、そのストッパ片は、前記補強罫線で折り曲げられていてもよいし、折り曲げられずに単に補強罫線を形成しただけでも、上記剛性を高める効果を発揮し得る。
特に、補強罫線が前記突出方向に沿って伸びる場合は、その折り曲げによる剛性向上の効果が高い。
また、本発明の包装体は、以上のような包装容器の中に物品を収納してなるものである。このような物品は、包装容器に内容物として収納するものであり、例えば、固形状、半固形状、可塑性の食品、特に乳製品を例示することができる。乳製品としては固形状のチーズ、例えば、アルミ箔で包装したチーズ等が物品として好適である。
【発明の効果】
【００１９】
この発明は、ストッパ片に、そのストッパ片の剛性を高める補強罫線を形成したので、中箱を繰り返しスライドさせても、ストッパ片が折り曲がったり損傷したりしないようにすることができる。
【発明を実施するための最良の形態】
【００２０】
一実施形態を図面に基づいて説明する。この実施形態は、図１及び図２に示すように、断面長方形の角筒状の外箱（スリーブ）１８の中に、凹状の中箱（トレー）１４をスライド自在に収納した包装容器２０である。
【００２１】
図３は、外箱１８を構成する紙製のブランクｂ１の展開図である。ブランクｂ１の構成を説明すると、図３に示すように、上壁１９ａの幅方向（前記スライド方向に直交する方向）一方側の端縁に、折目線ｒを介して連結壁１９ｂが連設されている。また、その上壁１９ａの幅方向他方側の端縁に、折目線ｒを介して接着片１９ｃが連設されている。
【００２２】
前記上壁１９ａに連設された連結壁１９ｂには、その上壁１９ａの反対側の縁に、折目線ｒを介して下壁１９ｄが連設されている。また、その下壁１９ｄの前記連結壁１９ｂの反対側の縁には、折目線ｒを介して連結壁１９ｅが連設されている。
【００２３】
図４に示すように、前記各折目線ｒを折り込んで前記ブランクｂ１を角筒状に形成し、前記連結壁１９ｅの外面に前記接着片１９ｃが糊付けされる。
これにより、上壁１９ａ、下壁１９ｄ、両連結壁１９ｂ，１９ｅ、及び前記接着片１９ｃは、前記角筒状の外箱１８の周壁１９を構成する。
【００２４】
また、前記上壁１９ａと前記下壁１９ｄの筒軸方向（前記スライド方向と同方向）他方の端部には、それぞれ折目線ｒを介して端面壁１９ｆ，１９ｇが連設されている。
さらに、連結壁１９ｂ，１９ｅの筒軸方向他方の端部には、それぞれ折目線ｒを介して舌片１９ｈ，１９ｉが連設されている。
【００２５】
前記舌片１９ｈ，１９ｉが折目線ｒを介して内側へ折り曲げられて、さらに、端面壁１９ｆ，１９ｇが折目線ｒを介して内側に折り曲げられる。前記上壁１９ａ側の端面壁１９ｆの外面に、下壁１９ｄ側の端面壁１９ｇの内面が糊付けされて、前記角筒状の外箱１８の他方の端部開口が閉じられる。
【００２６】
また、前記上壁１９ａの筒軸方向一方の端部に、半円形の切目線ｃが形成されている。その切目線ｃと前記上壁１９ａの筒軸方向一方の端縁とで囲まれた部分は、前記周壁１９から切り離し可能な切取片１７となっている。
【００２７】
なお、前記両連結壁１９ｂ，１９ｅの筒軸方向一方の端部には、それぞれ折目線ｒを介して、内側に折り込み可能なストッパ片３２，３２が連設されている。また、前記下壁１９ｄの筒軸方向他方の端部に形成されている切目線ｃ’は、包装容器２０を解体する際に用いるものである。
【００２８】
図５は、中箱１４を構成する紙製のブランクｂ２の展開図である。ブランクｂ２の構成を説明すると、図５に示すように、平面視長方形の底面板１１と、その底面板１１の周囲に立ち上がる端面板１２，１２、及び側面板１３，１３が、それぞれ底面板１１の周縁に折目線ｒを介して連設されている。
【００２９】
また、その中箱１４の前記スライド方向一方の前記端面板１２の上縁１２ａに、折目線ｒを介して貼着片２５が連設され、その貼着片２５の前縁２５ａに、折目線ｒを介して支え片２２が連設されている。
【００３０】
また、その支え片２２の前縁２２ａには、折目線ｒを介して固定片２７が連設されている。その支え片２２と固定片２７との間の折目線ｒの途中には、コ字状の切目線ｅが２箇所に設けられている。
【００３１】
前記貼着片２５が、図６（ａ）に示すように、前記一方の端面板１２の上縁１２ａから内側に折り込まれ、前記支え片２２が前記貼着片２５の前縁２５ａから前記底面板１１側に折り込まれて、その支え片２２の前縁２２ａが前記底面板１１の上面１１ａに当接する。
【００３２】
また、前記固定片２７が、前記支え片２２の前縁２２ａから前記底面板１１に沿って前記他方の端面板１２側に折り曲げられる。固定片２７の下面は、図６（ｂ）に示すように、前記底面板１１の上面１１ａに接した状態とされる。
【００３３】
このとき、前記前縁２２ａの折目線ｒには、前記コ字状の切目線ｅが形成されているので、前記固定片２７の向く方向と反対方向に突出する張り出し部２６が形成され、その張り出し部２６が、底面板１１の上面に接することで、前記支え片２２が安定して支持される。
【００３４】
このように、中箱１４の前記スライド方向一方の端部に、フラットな上面（貼着片２５）を有する中空の補強部２１が設けられる。
この補強部２１は、前記中箱１４が外箱１８内に収納された状態で、前記外箱１８の前記切目線ｃを形成した側の端部に位置する。
【００３５】
さらに、この実施形態では、図２に示すように、中箱１４の底面板１１上に敷板３０を載せているので、支え片２２及び固定片２７は、前記中箱１４内に折り込んだ状態に安定して維持されるようになっている。なお、図１では、理解がしやすいように、敷板３０や内容物ｐの図示を省略している。
【００３６】
また、前記支え片２２の幅方向両側縁２２ｂ，２２ｂに、折目線ｒを介して第一折込片２３，２３が連設されている。その第一折込片２３，２３は、前記支え片２２の幅方向側縁２２ｂから前記側面板１３の内面に沿って前記他方の端面板１２側に折り込まれる。
【００３７】
さらに、前記一方の端面板１２の幅方向両側縁１２ｂ，１２ｂに、折目線ｒを介して第二折込片２４，２４が連設されている。その第二折込片２４，２４は、前記一方の端面板１２の幅方向側縁１２ｂから、前記側面板１３の内面に沿って前記他方の端面板１２側に折り込まれる。すなわち、前記第一折込片２３，２３と同方向に折り込まれる。
【００３８】
このとき、図７（ｂ）に示すように、その第一折込片２３の下縁２３ａが前記底面板１１の上面１１ａに僅かな隙間ｗ４をもって対向する。また、第二折込片２４の下縁２４ａが前記底面板１１の上面１１ａに隙間ｗ２をもって対向する。隙間ｗ２は、隙間ｗ４よりも大きく設定されている。
【００３９】
なお、前記第一折込片２３は、前記支え片２２の幅方向側縁２２ｂから他方の前記端面板１２側へ折り込まれており、また第二折込片２４も同方向に折り込まれており、両折り込み片２３，２４は、図７（ｂ）に示すように、前記スライド方向の重複部分ｗ５を有している。
【００４０】
また、前記側面板１３の上縁１３ａに補強片１５が連接されている。その補強片１５は、図６（ｂ）に示すように、前記側面板１３の上縁１３ａから内側に折り込まれる。また、その補強片１５の内側縁１５ａに折目線ｒを介して連設された案内片１６が、その折目線ｒで前記底面板１１の上面１１ａに沿うように折り曲げられる。案内片１６の下面は、前記底面板１１の上面１１ａに接した状態とされる。この補強片１５及び案内片１６は、前記中箱１４の幅方向両側に設けられている。
【００４１】
これにより、前記第一折込片２３及び前記第二折込片２４は、それぞれ、前記側面板１３と前記補強片１５との間に挟まれて固定される。また、特に、前記重複部分ｗ５においては、前記第一折込片２３と前記第二折り込み片２４とが、２枚重なった状態でしっかりと固定される。
なお、前記敷板３０を載せることによって、前記補強片１５及び前記案内片１６が、前記中箱１４内に折り込んだ状態に安定して維持されるようになっている点は、前記支え片２２及び前記固定片２７の場合と同様である。
【００４２】
前記補強片１５及び前記案内片１６が折り込まれた状態で、図７（ｂ）に示すように、第一折込片２３の立上がり高さｈ２３は、第二折込片２４の高さｈ２４よりも高くなっており、そのうち、第一折込片２３の上縁２３ｂは、前記側面板１３と補強片１５との間の折目線ｒ部分に僅かな隙間ｗ３をもって対向する。
また、第二折込片２４の上縁２４ｂは、前記貼着片２５の下面との間に隙間ｗ１をもって対向する。隙間ｗ１は隙間ｗ３よりも大きく設定されており、前記貼着片２５が内側に折り込まれるのに支障のない高さとなっている。
【００４３】
なお、前記補強部２１を設けた側の反対側の端面板１２（他方の端面板１２）の上縁１２ａには、端部補強片２８が連接されている。その端部補強片２８は、前記他方の端面板１２の上縁１２ａから内側に折り込まれる。また、その端部補強片２８の前縁２８ａに折目線ｒを介して連設された端部案内片２９が、その折目線ｒで前記底面板１１の上面１１ａに沿うように折り曲げられる。端部案内片２９の下面は、前記底面板１１の上面１１ａに接した状態とされ、その上に敷板３０が載せられるようになっている。
【００４４】
この中箱１４が、前記外箱１８の中にその筒軸方向へスライド自在に収納される。前記中箱４の凹部には、個別にパッケージされた小さな内容物ｐが、前記スライド方向に沿って複数並列して収められている。
図２（ａ）は、中箱１４を外箱１８内に入れる前段において、底面板１１上に敷板３０を載せ（図中矢印C参照）て、その中箱１４を外箱１８内に差し入れようとしている（図中矢印Ｄ参照）状態を示し、図２（ｂ）は、中箱１４内の敷板３０上に内容物ｐを収容し、その中箱１４を、実際に外箱１８内に押し込む（図中矢印Ｅ参照）状態を示している。
【００４５】
また、前記貼着片２５に、前記切取片１７の切目線ｃに沿う半円形の補助切目線ｄが形成されている。切目線ｃと補助切目線ｄとは、上下に重なりあう位置関係、あるいはほぼ重なり合う位置関係となっている。前記切目線ｃと前記上壁１９ａの筒軸方向一方の端縁とで囲まれた部分（以下、切取片１７という）を外側から指で押せば、この補助切目線ｄも前記切目線ｃとともに切断されるようになっている。補助切目線ｄは、このように、切目線ｃの切断時に同時に切断される位置、形状であればよい。
【００４６】
以下、この包装容器２０を開封する際の手順について説明する。
まず、商品の「未開封状態」で、図１（ａ）に矢印Ａで示すように、前記上壁１９ａに形成された前記切取片１７の部分を、外側から指で押さえる。
【００４７】
切取片１７は、前記切目線ｃの切断によって外箱１８の周壁１９から離脱し、中箱１４と外箱１８とが分離し、「開封状態」となる。
このとき、その切取片１７の内面は、前記中箱１４の前記貼着片２５の上面に接着されているので、切取片１７は、図８に示すように、前記補強部２１の貼着片２５側に接着した状態が維持される。
【００４８】
また、その切取片１７の下に前記補強部２１が介在しているので、切取片１７を指で押した際に、その切取片１７周囲の上壁１９ａが、前記底面板１１側へ接近する方向に歪むのが抑制される。このとき、補強部２１の剛性が高められているので、その歪み抑制の効果が高くなっている。
上壁１９ａの歪みが抑制されれば、前記矢印Ａの方向へ指で押す力が切目線ｃに沿って作用しやすくなるので、切目線ｃを速やかに切断し、その切取片１７の前記上壁１９ａからの離脱がスムーズである。
【００４９】
また、前記補強部２１の貼着片２５には、前記切取片１７の切目線ｃに沿う補助切目線ｄが形成されているので、切取片１７を押えた際に、その補助切目線ｄが切断されることによって、切取片１７の内側への押し込みが容易になる。切取片１７の内側への押し込みが容易であれば、その切取片１７の前記上壁１９ａからの切り離しがさらにスムーズである。また、外箱１８の歪みをさらに確実に抑制できる。
【００５０】
なお、前記補強部２１は、前記支え片２２及び固定片２７が、前記貼着片２５と底面板１１との間に介在することによって、その貼着片２５及び上壁１９ａの歪みが抑制されているほか、前記第一折込片２３及び第二折込片２４によって補強部２１全体の剛性が高められて、同様の効果を発揮している点は、前述の通りである。
【００５１】
この点、例えば、従来例に示す図１１（ｂ）の包装容器２０によれば、前記補強部２１が設けられていないので、切取片７を外箱８から切り離す際に、その外箱８の切目線ｃに囲まれた部分を外側から指で強く押すと、図１１（ｃ）のように切目線ｃがスムーズに切り離しできず、例えば、図１１（ｄ）に示すように、外箱８が歪んで中箱４内に入り込み、その形状が崩れてしまうことがある。一旦、外箱８の形状が歪むと元の形状に戻らなくなり、包装容器２０の美観を損なうので好ましくない。
【００５２】
この実施形態では、前記中箱１４に前記補強部２１を設けたことにより、このような問題点を解消している。
【００５３】
このように切取片１７を上壁１９ａから離脱させた後、中箱１４を外箱１８に対してスライドさせて外側に引き出す。中箱１４の凹部が外箱１８の外に出れば、内容物ｐが取出し可能である。
【００５４】
このとき、前記補助切目線ｄの切断によって、切取片１７が、中空の前記補強部２１内に完全に入り込むので、その切取片１７が、中箱１４のスライドに支障しないようになっている。
【００５５】
また、前記側面板１３の前記スライド方向他方側の端部に係合部３１としての孔部３１ａが形成されている。また、前記連結壁１９ｃ，１９ｅの前記スライド方向一方側の端部にストッパ片３２が設けられている。
このため、図９（ａ）（ｂ）に示すように、そのストッパ片３２が前記孔部３１ａ（係合部３１）内に入り込むことによって、前記中箱１４が前記外箱１８から脱落するのが防止される。
【００５６】
このとき、前記ストッパ片３２には、側面板１３側から突出側端部へ直線状に伸びる１本の補強罫線３２ａが形成されている。この補強罫線３２ａによって、ストッパ片３２の剛性が高められている。
【００５７】
すなわち、この補強罫線３２ａの向きは、ストッパ片３２が外箱１８内に折り込まれた状態において、その外箱１８内に挿入される中箱１４の底面板１に並行（前記中箱１４の挿入状態で、前記スライド方向に並行）である。
このため、特に、ストッパ片３２に対して、その補強罫線３２ａが伸びる方向に沿って圧縮力が働いた際に、そのストッパ片３２が折れ曲がりにくくなるように、その剛性が高められている。
【００５８】
ストッパ片３２の剛性が高められているから、外箱１８に対して中箱１４を繰り返しスライドさせることにより、ストッパ片３２が孔部３１ａに幾度となく係脱しても、そのストッパ片３２がその途中で折り曲がったり、あるいは、ストッパ片３２の端縁が損傷してしまうことがない。補強罫線３２ａは、図９（ｂ）に示すように、ストッパ片３２の根元部から突出側端部の縁まで連続して形成されていることが望ましい。
【００５９】
また、前記補強罫線３２ａは、前記ストッパ片３２を外箱１８内へ折り込んだ状態で、前記スライド方向に並行に伸びている構成とすることが最も望ましいが、例えば、図１０（ａ）に示すように、前記スライド方向に対してやや傾斜した方向の補強罫線３２ａを採用してもよい。
また、図１０（ｂ）に示すように、並行に伸びる複数本の補強罫線３２ａを形成してもよい。さらに、図１０（ｃ）に示すように、途中で交差する複数本の補強罫線３２ａを形成した構成としてもよい。
【００６０】
なお、前記補強部２１の態様において、前記第一折込片２３及び第二折込片２４は、この実施形態のように、中箱１４の幅方向両側に設けることが望ましいが、幅方向いずれかの側にのみ設けた構成も考えられる。また、この第一折込片２３及び第二折込片２４は、この実施形態のように、両方を併せて備えた構成にしても良いし、いずれか一方のみを備える構成としてもよい。
【００６１】
また、前記第一折込片２３及び第二折込片２４の双方を備える場合において、前記重複部分ｗ３を設けないようにした構成、あるいは、前記第二折込片２４を筒軸方向他方側に向かって折り込み、第一折込片２３を筒軸方向一方側に向かって折り込んだ構成も考えられる。
【００６２】
また、これらの実施形態では、上壁１９ａの切目線ｃを、その上壁１９ａの端縁に臨ませて形成したが、その切目線ｃを環状に形成することによって、その切目線ｃで囲まれた部分を前記切取片１７としてもよい。
【００６３】
さらに、前記貼着片２５を底面板１１側に近づけないように支える部材として、支え片２２以外を用いた構成を採用することもできる。例えば、貼着片２５と底面板１１の上面との間に任意の支え板を介在させて突っ張らせる手法が考えられる。
その支え板は、その面方向が、底面板１１の面方向に直交する方向であることが望ましく、例えば、前記貼着片２５の幅方向両側縁に、折目線を介して連設した任意の形状の折込片を下方へ折り込み、その折り込んだ後において、前記折込片の下端が前記底面板１１の上面１１ａに当接する構成などが考えられる。このようにすれば、支え片２２の設置の有無は任意に選択できる。また、前記第二折込片２４を貼着片２５の直下に位置させて、底面板１１の上面１１ａと貼着片２５との間に突っ張らせる手法も考えられる。
【００６４】
また、補強部２１の貼着片２５側の補助切目線ｄの形成を省略した態様も考えられる。この態様においても、補強部２１の介在によって外箱１８の歪みが抑制されるので、切取片１７の切り離しはスムーズである。
【図面の簡単な説明】
【００６５】
【図１】一実施形態の開封の手順を示し、（ａ）は未開封状態の斜視図、（ｂ）は開封状態にして中箱を外箱からわずかに引き出した状態、（ｃ）は中箱を外箱から完全に引き出した状態を示す斜視図
【図２】同実施形態の包装の手順を示し、（ａ）は外箱、中箱及び敷板の斜視図、（ｂ）は、敷板を載せた中箱を外箱内に差し入れる状態を示す斜視図
【図３】同実施形態の外箱のブランクを示す展開図
【図４】図３のブランクを組み立てる際の状態を示す斜視図
【図５】同実施形態の中箱のブランクを示す展開図
【図６】（ａ）（ｂ）は、図５のブランクを組み立てる際の状態を示す斜視図
【図７】図５のブランクを組み立てた中箱の詳細を示し、（ａ）は平面図、（ｂ）は正面図、（ｃ）は（ａ）のｃ−ｃ断面図、（ｄ）は右側面図、（ｅ）は（ａ）のｅ−ｅ断面図
【図８】同実施形態の要部拡大断面図
【図９】（ａ）は、同実施形態のストッパの機能を示す要部拡大平面図、（ｂ）は、同正面図
【図１０】（ａ）（ｂ）（ｃ）は、他の実施形態のストッパ片を示す正面図
【図１１】（ａ）は従来例の斜視図、（ｂ）（ｃ）（ｄ）は他の従来例を示す断面図
【図１２】（ａ）（ｂ）は、従来例の斜視図
【符号の説明】
【００６６】
１，１１  底面板
２，１２  端面板
３，１３  側面板
４，１４  中箱（トレー）
５，２５  貼着片
６  離脱防止片
７，１７  切取片
８，１８  外箱（スリーブ）
９，１９  周壁
１２ａ，１３ａ  上縁
１２ｂ  側縁
１５  補強片
１６  案内片
１９ａ  上壁
２０  包装容器
２１  補強部
２２  支え片
２２ａ  前縁
２２ｂ  側縁
２３  第一折込片
２３ａ，２４ａ  下縁
２３ｂ，２４ｂ  上縁
２４  第二折込片
２５ａ  前縁
２６  張り出し部
２７  固定片
２８  端部補強片
２９  端部案内片
３０  敷板
３１  係合部
３１ａ  孔部
３２  ストッパ片
３２ａ  補強罫線
ｃ，ｃ’，ｅ  切目線
ｄ  補助切目線
ｒ  折目線
【図１】
2010126185.tif 000003
【図２】
2010126185.tif 000004
【図３】
2010126185.tif 000005
【図４】
2010126185.tif 000006
【図５】
2010126185.tif 000007
【図６】
2010126185.tif 000008
【図７】
2010126185.tif 000009
【図８】
2010126185.tif 000010
【図９】
2010126185.tif 000011
【図１０】
2010126185.tif 000012
【図１１】
2010126185.tif 000013
【図１２】
2010126185.tif 000014